(57)【要約】【課題】見掛け上は全体が１枚のパネルのように見え、主に玄関用扉とコーディネートすることができる門扉。【解決手段】間隔をおいて対向した表裏２枚の金属パネル１、２の左右両側部の内側に縦框３、４を配置し、上記金属パネルの側端部を上記縦框３、４の外側縁６に沿って折り曲げ、かつ上記縦框３、４の外側面には上記金属パネル１、２の側端部の上から戸当り１４又は框カバー１３を取り付ける一方、上記金属パネル１、２の上下端部を内側に折り曲げて互いに係合させ、上記金属パネル１、２の上部端面と側端部の上端との間に形成された隙間２０をキャップ２２で覆うとともに、内部に形成された空間部内に発泡体からなる芯材５を収納した。【選択図】図３
2006257799.tif 000002
【特許請求の範囲】
【請求項１】
間隔をおいて対向した表裏２枚の金属パネルの左右両側部の内側に縦框を配置し、上記金属パネルの側端部を上記縦框の外側縁に沿って折り曲げ、上記金属パネルの上下端部を内側に折り曲げて互いに係合させ、上記金属パネルの上部端面と側端部の上端との間に形成された隙間をキャップで覆うとともに、内部に形成された空間部内に発泡体からなる芯材を収納したことを特徴とする門扉。
【請求項２】
前記金属パネルの下端部には落し棒用の開口部を形成したことを特徴とする、請求項１記載の門扉。
【請求項３】
前記縦框の外側面には上記金属パネルの側端部の上から戸当り又は框カバーを取り付けたことを特徴とする、請求項１又は２に記載の門扉。
【発明の詳細な説明】
【技術分野】
【０００１】
本発明は、表面に縦框が露出せず、全体が１枚のパネルのように見える門扉に関するものである。
【背景技術】
【０００２】
従来は、インテリアとエクステリアとは互いに独立に考えられ、それぞれの考え方に基づいて製品作りがなされてきた。門扉も道路と敷地とを仕切るエクステリア商品として、フェンスと結び付けて考えられることはあっても、建物と関係付けられることはなかった。このため、門扉は通常は上下の横框と左右両側の縦框とを方形に框組みし、その内側にパネルや格子を取り付けたものが多い。
【特許文献１】特開平１０−１７６４７３号公報
【発明の開示】
【発明が解決しようとする課題】
【０００３】
しかしながら、最近は門扉やフェンスを単にエクステリア商品としてみるのではなく、建物の玄関扉などとデザインをコーディネートする傾向が強くなっている。
【０００４】
ところが、玄関用扉は縦框と横框とが露出するものもあるが、基本的にはマンションの玄関用扉のように表面が平面状で、全体が１枚のパネルのように見えるものが多い。しかし、これに対し、框が露出しないような門扉は実施されていなかった。
【０００５】
本発明は上記問題点を解消し、特に框が外部に現れず、見掛け上は全体が１枚のパネルのように見え、主に玄関用扉とコーディネートすることができる門扉を提供することをその課題とする。
【課題を解決するための手段】
【０００６】
前記課題を解決するため、請求項１に係る発明は、間隔をおいて対向した表裏２枚の金属パネルの左右両側部の内側に縦框を配置し、上記金属パネルの側端部を上記縦框の外側縁に沿って折り曲げ、かつ上記縦框の外側面には上記金属パネルの側端部の上から戸当り又は框カバーを取り付ける一方、上記金属パネルの上下端部を内側に折り曲げて互いに係合させ、上記金属パネルの上部端面と側端部の上端との間に形成された隙間をキャップで覆うとともに、内部に形成された空間部内に発泡体からなる芯材を収納したことを特徴とする。
【０００７】
請求項２に係る発明は、前記金属パネルの下端部には落し棒用の開口部を形成することを特徴とする。
【０００８】
請求項３に係る発明は、前記縦框の外側面には前記金属パネルの側端部の上から戸当り又は框カバーを取り付けたことを特徴とする。
【発明の効果】
【０００９】
請求項１に係る発明は、縦框と芯材は表裏面の金属パネルの内側に配置され、また金属パネルの上下端部は内側に折り曲げて互いに係合され、上記縦框の外側面は上記金属パネルの側端部の上から戸当り又は框カバーによって覆われるとともに、金属パネルの上部端面と側端部の上端との間の隙間はキャップで覆われるので、縦框は全く外部に露出しない。このため、門扉は見掛け上は全体が１枚のパネルとして見えるから、建物の玄関用扉とコーディネートすることができる。
【００１０】
請求項２に係る発明によれば、落し錠を取り付けることができる。
【００１１】
請求項３に係る発明によれば、縦框の外側面も外部に露出しない。
【発明を実施するための最良の形態】
【００１２】
図１は門扉の正面図、図２は図１のＸ−Ｘ線上の断面図であり、図３はＹ−Ｙ線上の断面図である。
【００１３】
図１および図２において符号Ａは門扉を示す。この門扉Ａは、表裏２枚のアルミニウム、ステンレス等の金属製パネル１、２を間隔をおいて対向させ、その左右両側部の内側に縦框３、４を配置し、金属パネル１、２の上下端部を上記縦框３、４の上下端面上で内側に折り曲げて互いに係合させ、これにより金属パネル１、２の内部に形成された空間部Ｓ内に発泡体からなる芯材５を収納したものである。
【００１４】
左右の縦框３、４ともに中空のアルミニウム製押出型材によって構成され、外側部の表裏側にはＬ字形の外側縁６が向き合いに形成されている。戸先側の縦框３は戸尻側（ヒンジ金具が取り付けられる側）の縦框４よりも幅広に形成され、中空部７の内部に落し錠８が収納配置されている。中空部７の外側壁９には開口部が形成され、落し場の落し棒１０の操作つまみ１１は中空部７の外側に露出している。なお、上記縦框３には門扉の把手、デッドボルト、ラッチ等の台座１２も固定しておく。
【００１５】
金属パネル１、２の左右両側部の内側に縦框３、４が配置されるが、その際上記台座１１は金属パネル１、２から露出させる。金属パネル１、２の側端部１ａ、２ａは上記縦框３、４の外側縁６に沿って折り曲げられている。さらに、内側に巻き込んでもよい。
【００１６】
なお、両開き門扉に使用される２枚の門扉のうち一方の門扉の戸先側の縦框３の外側面には、図４に示されるように、上記金属パネル１、２の側端部１ａ、２ａの上から框カバー１３を当接し、縦框３の外側縁６の内側に配置されたネジ持ち１５にビス止めすることによって、縦框３の側端面も露出しないようにしてもよい。また、他方の門扉の戸先側の縦框３の外側面には、落し棒を有する側の縦框３の側端部には戸当り１４を取り付ける。この場合、戸当り１４は縦框３の外側縁６の内側に配置されたネジ持ち１５にビス止めすればよい。
【００１７】
金属パネル１、２の上端部は上記縦框３、４の上端面上で内側に直角に折り曲げられ、さらに上記両縦框３、４の中心を結ぶ線Ｐ上で下方に折り返し、一方の金属パネル１の折り返し部１６の先端をＶ字形に折り曲げ、これによって形成されたＶ字溝１７に他方の金属パネル２の折り返し部１８の端部を係合させている。金属パネル１、２の下端部も同様に折り曲げ処理されている。
【００１８】
ところで、図５に示されるように、金属パネル１、２の折り曲げによって構成された上部端面１ｂ、２ｂは縦框３（４）の上端部を全て覆うのではなく、縦框３（４）の中空部７が少し露出する部位を終端部とする。金属パネル１、２の側端部１ａ、２ａの上端は縦框３（４）の上下端と同じである。その結果、金属パネル１、２の上部端面１ｂ、２ｂの終端部と側端部１ａ、２ａの上端との間には小さな隙間２０が形成される。下端面も同様である。なお、隙間２０には縦框３（４）の中空部７の一部が同じ大きさで露出する。ただし、落し棒１０が配置されている縦框３の下端部には、落し棒１０が出没できる程度の開口部２１（図７（ｂ）参照）が形成されるように、金属パネル１、２の下端部の終端部を他の終端部よりも後退した位置にする。
【００１９】
上記隙間２０はキャップ２２で覆われている。キャップ２２は合成樹脂製で、覆い部２３の下方に取付脚２４を形成したものである。覆い部２３は上記隙間２０の外側の露出部を覆うことができる大きさを有し、取付脚２４は断面コ字形の板状で、内側中央部にはビス受け２５が形成され、上記隙間２０から露出した縦框の中空部７に挿入できる程度に形成されている。図５、図６（ａ）（ｂ）および図７（ａ）（ｂ）に示されるように、キャップ２２の取付脚２４は中空部７内に挿入され、縦框３、４の外側から挿通されたビスを上記ビス受け２５にビス止めすることによって固定されている。キャップ２２は非常に小さいので、全体的にはほとんど目立たない。
【００２０】
次に、上記構成において、金属パネル１、２と左右縦框３、４との間には空間部が形成され、この空間部の内部には発泡スチロールなどの発泡体からなる芯材５が収納されている。芯材５をなす発泡体は予め所定の大きさ、形状に形成されており、その状態で上記空間部内に収納される。通常は、金属パネル１、２の上下端のいずれか一方又は両方を折り曲げて閉じる前に発泡体５を上記空間部内に入れればよい。
【００２１】
上述の構成によれば、縦框３、４と芯材５は表裏面の金属パネル１、２の内側に配置され、また金属パネル１、２の上下端部は内側に折り曲げて互いに係合され、上記縦框３、４の外側面は上記金属パネル１、２の側端部の上から戸当り１４又は框カバー１３によって覆われるとともに、金属パネル１、２の上部端面と側端部の上端との間の隙間２０はキャップ２２で覆われるので、縦框３、４は全く外部に露出しない。キャップ２２自体も非常に小さい。このため、門扉は見掛け上は全体が１枚のパネル１、２として見えるように構成されているから、特に建物の玄関用扉とコーディネートすることができる。したがって、建物の内外の全体デザインを１つのコンセプトにまとめることができる。
【００２２】
なお、上記門扉には、図８、図９に示されるように、窓部２６を形成し、その内側に保持枠２７を介して透光性を有するパネル２８をはめ込むように構成してもよい。
【図面の簡単な説明】
【００２３】
【図１】門扉の正面図である。
【図２】図１のＸ−Ｘ線上の断面図である。
【図３】図１のＹ−Ｙ線上の断面図である。
【図４】両開き門扉の戸先部分の平面図である。
【図５】門扉の上端コーナー部の分解斜視図である。
【図６】（ａ）（ｂ）は門扉の上端コーナー部の正面図及び側面図である。
【図７】（ａ）（ｂ）は門扉の下端コーナー部の正面図及び側面図である。
【図８】門扉の他の一例の正面図である。
【図９】図８のＺ−Ｚ線上の断面図である。
【符号の説明】
【００２４】
１、２  金属パネル
３、４    縦框
５    芯材
１３  框カバー
１４  戸当り
２２  キャップ
【図１】
2006257799.tif 000003
【図２】
2006257799.tif 000004
【図３】
2006257799.tif 000005
【図４】
2006257799.tif 000006
【図５】
2006257799.tif 000007
【図６】
2006257799.tif 000008
【図７】
2006257799.tif 000009
【図８】
2006257799.tif 000010
【図９】
2006257799.tif 000011